(57)【要約】【課題】本発明は、簡単な構成で放電用ワイヤの全面を清掃するとともに、画像濃度の変化に伴う放電ムラ等の発生や、複写画質の低下を回避し、帯電器の長寿命化を図ることができる帯電器の清掃装置を提供することを目的とする。【解決手段】往路方向２２において、保持部材１６が後側ハウジング１２付近まで移動すると、保持部材１６は回転用ガイド部材２３に接触する。この時、保持部材１６の端部１６ｂ側に設けられた突起部１６ｅ（又は、１６ｆ）が、回転用ガイド部材２３に設けられた突出部２３ａ（又は、２３ｂ）に接触するとともに、突出部２３ａ（又は、２３ｂ）に形成されたガイド面２３ｅ（又は、２３ｆ）に当接した状態になる。保持部材１６の端部１６ｂ側に設けられた突起部１６ｅ（又は、１６ｆ）は、ガイド面２３ｅ（又は、２３ｆ）に当接した状態で、当該ガイド面２３ｅ（又は、２３ｆ）に沿って図中の矢印２５の方向に摺動する。【選択図】    図７
2004271837.tif 000002
【特許請求の範囲】
【請求項１】
帯電器が有する放電用ワイヤと当接する清掃部材と、前記清掃部材を保持する保持部材とを有し、前記清掃部材を往復移動させることにより、前記放電用ワイヤを清掃する帯電器の清掃装置において、
前記往復移動の際に前記保持部材を回転させることにより、前記清掃部材の往路と復路における前記放電用ワイヤと前記清掃部材の当接面を変化させ、前記放電用ワイヤの全面を清掃することを特徴とする帯電器の清掃装置。
【請求項２】
前記駆動用ワイヤが挿通された回転用ガイド部材を更に有し、前記保持部材に設けられた突起部が、前記回転用ガイド部材に設けられたガイド面に当接した状態で摺動するとともに前記回転用ガイド部材に形成された溝に係合することにより前記保持部材が回転することを特徴とする請求項１に記載の帯電器の清掃装置。
【請求項３】
前記保持部材の回転角度が９０度であることを特徴とする請求項２に記載の帯電気の清掃装置。
【発明の詳細な説明】
【０００１】
【発明の属する技術分野】
本発明は、デジタル複写機、ファクシミリ、プリンター等の画像形成装置に用いられる帯電器の清掃装置であって、帯電器が有する放電用ワイヤを清掃する清掃部材を有する帯電器の清掃装置に関する。
【０００２】
【従来の技術】
図１３は、一般に用いられているデジタル複写機、ファクシミリ、プリンター等の画像形成装置における画像形成装置本体内の主要部の構成を概略的に示す正面図である。当該主要部は、一方向（図中の矢印方向）に回転する感光体ドラム１、感光体ドラム１に対向するとともに、当該感光体ドラム１の上記回転方向に沿って配設された帯電ユニット２、現像ユニット３、転写ユニット４、分離ユニット５、及びクリーニングユニット６から構成されている。
【０００３】
この様な構成のもとで、不図示の原稿読取部により、複写原稿の画像が読み取られ、これとともに図中の矢印方向に回転する感光体ドラム１の表面は帯電ユニット２により一様に帯電させられる。次いで、原稿読取部によって読み取られた画像に基づく光が、露光ユニット７により感光体ドラム１の表面に照射されてその画像の静電潜像が形成され、その後、現像ユニット３によりその静電潜像にトナーを付着させトナー像が形成される。
【０００４】
更に、用紙供給経路８を経由して感光体ドラム１と転写ユニット４との間に供給された用紙（不図示）上に、転写ユニット４により感光体ドラム１からトナー像が引き寄せられて転写される。その後、トナー像が転写された用紙は分離ユニット５により感光体ドラム１から分離されて、不図示の定着ユニットに搬送され、この定着ユニットによりそのトナー像が転写紙上に定着される。
【０００５】
一方、転写ユニット４によるトナー像転写後、感光体ドラム１の表面に残留するトナーは、クリーニングユニット６により完全に除去される。そして、残留トナーが除去された感光体ドラム１は、複数のＬＥＤ等で構成された不図示の除電部によりその表面の残留電荷が除去され、帯電ユニット２に至る。
【０００６】
この様な画像形成装置において、上述の動作を繰り返していると、トナー飛散や紙粉等により、帯電ユニット２、転写ユニット４、及び分離ユニット５等のコロナ帯電器に設けられた放電用ワイヤが汚れてくる。特に、トナーやグリースに含まれるシリコンと、放電により空気中に発生したオゾンとの反応により、シリカ（ＳｉＯ２）が発生し、これが放電用ワイヤに付着するといった問題が生じる。この様な汚れを放置しておくと、放電性能が減少して帯電均一性が失われ、画像濃度の変化に伴う放電ムラ等が発生し、複写画質が低下するとともに、これらの帯電器の寿命が短くなってしまうという問題が生じてしまう。そこで、これらのコロナ帯電器を定期的に清掃し、上記不都合を回避する必要がある。
【０００７】
図１４、図１５は、従来における帯電器の清掃装置の断面図である。当該清掃装置において、開閉可能な二又状脚部を有する支持部材５０の脚部５１の各内面に清掃部材５２が設けられており、上記脚部５１に形成された突起部５３を、移動部材５４に形成された開口部５５に係合させ、支持部材５０を移動部材５４に保持する構成となっている。又、この際、図１４に示す様に、清掃部材５２が放電用ワイヤ５６を両側から挟み込む様に、突起部５３を開口部５５に係合させる。又、チャージャーケース５７に形成された穴部５８に移動部材５４の下部を嵌合し、当該移動部材５４を放電用ワイヤ５６の張架方向（長手方向）に沿って移動させることにより、放電用ワイヤの清掃を行う構成となっている。（例えば、特許文献１参照）。
【０００８】
【特許文献１】
特開平３−４８８７１号公報（第５−６頁、第３−４図）
【０００９】
【発明が解決しようとする課題】
しかし、上記従来の清掃装置においては、上述のごとく、清掃部材５２が放電用ワイヤ５６を両側から挟み込む構成となっており、清掃部材５２が放電用ワイヤ５６の両側面にのみ当接する構成となっているため、この状態下で、移動部材５４を放電用ワイヤ５６の張架方向（長手方向）に沿って移動させても、放電用ワイヤ５６の全面を清掃することができない。従って、上述の放電用ワイヤ５６の汚れを完全に除去することが出来ず、結果として、画像濃度の変化に伴う放電ムラ等の発生や、複写画質の低下を回避することが困難になり、又、帯電器の寿命が短命化するという不都合が生じていた。
【００１０】
本発明は、上記問題点を解決し、簡単な構成で放電用ワイヤの全面を清掃するとともに、画像濃度の変化に伴う放電ムラ等の発生や、複写画質の低下を回避し、帯電器の長寿命化を図ることができる帯電器の清掃装置を提供することを目的とする。
【００１１】
【課題を解決するための手段】
上記目的を達成するために、本発明は、帯電器が有する放電用ワイヤと当接する清掃部材と、清掃部材を保持する保持部材とを有し、清掃部材を往復移動させることにより、放電用ワイヤを清掃する帯電器の清掃装置において、往復移動の際に保持部材を回転させることにより、清掃部材の往路と復路における放電用ワイヤと清掃部材の当接面を変化させ、放電用ワイヤの全面を清掃することを特徴とする。
【００１２】
この構成によると、清掃部材の往復移動の際に、清掃部材が収容された保持部材を回転させ、清掃部材の往路と復路における放電用ワイヤと清掃部材の当接面を変化させることが可能になるため、放電用ワイヤの全面を清掃することが可能になり、当該放電用ワイヤの汚れを効果的に除去することが可能になる。
【００１３】
又、本発明は、駆動用ワイヤが挿通された回転用ガイド部材を更に有し、保持部材に設けられた突起部が、回転用ガイド部材に設けられたガイド面に当接した状態で摺動するとともに回転用ガイド部材に形成された溝に係合することにより保持部材が回転することを特徴とする。
【００１４】
この構成によると、清掃部材の往復移動の際に、清掃部材が収容された保持部材を回転用ガイド部材により回転させ、清掃部材の往路と復路における放電用ワイヤと清掃部材の当接面を変化させることが可能になるため、放電用ワイヤの全面を清掃することが可能になり、当該放電用ワイヤの汚れを効果的に除去することが可能になる。
【００１５】
ここで、本発明においては、上記保持部材の回転角度を９０度とすることができる。この構成によると、清掃部材を１往復移動させれば、清掃部材の往路と復路における放電用ワイヤと清掃部材の当接面を変化させ、放電用ワイヤの全面を清掃することが可能になるため、簡単な構成で当該放電用ワイヤの汚れを効果的かつ容易に除去することが可能になる。
【００１６】
【発明の実施の形態】
以下、図面を参照して、本発明の実施形態を詳細に説明する。本発明は、帯電器が有する放電用ワイヤと当接する清掃部材と、清掃部材を保持する保持部材とを有し、清掃部材を往復移動させることにより、放電用ワイヤを清掃する帯電器の清掃装置に関するものであり、図１は、本発明の実施形態に係る帯電器の清掃装置が装着された帯電ユニットの全体構成を示す斜視図であり、図２は、本発明の実施形態に係る帯電器の清掃装置の概略構成を示す断面図であり、図３は、本発明の実施形態に係る帯電器の清掃装置における保持部材を示す斜視図であり、図４は、本発明の実施形態に係る帯電器の清掃装置が装着された帯電ユニットの全体構成を示す側面図である。
【００１７】
尚、本実施形態は、帯電ユニット、転写ユニット、及び分離ユニット等のコロナ帯電器のうち、帯電ユニットを例にとって適用したものであり、転写ユニット、及び分離ユニット等の他のコロナ帯電器にも適用可能であることは言うまでもない。
【００１８】
図１に示す様に、帯電ユニット５のシールドケース１０には、当該シールドケース１０に設けられた前側ハウジング１１から後側ハウジング１２へ向けて、放電用ワイヤ１３が張架されている。この放電用ワイヤ１３は、図示しない所定の電源と接続されており、図１３において示した感光体ドラム１に向けて放電を行い、感光体ドラム１の表面を一様に帯電する。
【００１９】
又、本実施形態にかかる清掃装置は、帯電ユニット５が有する放電用ワイヤ１３と当接する清掃部材１５と、清掃部材１５を保持する保持部材１６と、保持部材１６が取り付けられる移動部材１７と、放電用ワイヤ１３が挿通された回転用ガイド部材２３、２４から構成されている。
【００２０】
より詳しくは、図３に示す様に、清掃部材１５は、２個の清掃用パッド１５ａ、１５ｂにより構成されており、これらの清掃用パッド１５ａ、１５ｂは、略円筒形状を有する保持部材１６の内面に保持され、保持部材１６内に収納されている。又、保持部材１６には、略円筒形状を有する４つの突起部１６ｃ〜１６ｆが設けられており、このうち、突起部１６ｃ、１６ｄは、端部１６ａの両側面に設けられ、突起部１６ｅ、１６ｆは、端部１６ｂの両側面に設けられている。
【００２１】
又、図２、図４に示す様に、保持部材１６は、胴体部１６ｂ’を介して移動部材１７に嵌着されており、保持部材１６を移動部材１７に対し回動自在に保持する構成となっている。即ち、保持部材１６は、移動部材１７に対して、図２に示す矢印の方向に回転可能となる様に保持されている。尚、保持部材の回転機構に関しては、後に詳しく説明する。
【００２２】
又、図１、図２に示す様に、シールドケース１０の底板部１８には、放電用ワイヤ１３の張架方向に沿って穴部１９が形成されており、移動部材１７の両端に形成された２ヶ所の溝部１７ａに底板部１８を挿入することにより、当該移動部材１７を穴部１９に嵌合し、清掃部材１５が収容された保持部材１６を嵌着した移動部材１７を放電用ワイヤ１３の張架方向（長手方向）に沿って往復移動させることにより、放電用ワイヤ１３と当接する清掃部材１５を往復移動させ、放電用ワイヤ１３の清掃を行う構成となっている。
【００２３】
尚、本実施形態においては、移動部材１７の駆動手段としてモータを使用している。即ち、図１、図４に示す様に、シールドケース１０に設けられた後側ハウジング１２の下方に駆動用モータ２０を設け、放電用ワイヤ１３の張架方向（長手方向）に沿って設けられたスパイラル形状を有するネジ２１を当該モータ２０に接続する。そして、図２に示す移動部材１７の下側突起部１７ｂに形成されたネジ穴１７ｃを当該ネジ２１に挿入し、モータ２０を駆動することにより、移動部材１７を放電用ワイヤ１３の張架方向（長手方向）に沿って往復移動させ、放電用ワイヤ１３の清掃を行う構成となっている。尚、上記ネジ２１の代わりに駆動式のワイヤを用いる構成としても良い。
【００２４】
又、図１に示す様に、シールドケース１０内には、駆動用ワイヤ１３が挿通された２個の回転用ガイド部材２３、２４が設けられており、このうち、回転用ガイド部材２３は後側ハウジング１２に隣接して設けられ、回転用ガイド部材２４は前側ハウジング１１に隣接して設けられている。この回転用ガイド部材２３には、図５に示す様に、２つ突出部２３ａ、２３ｂと、２つの溝２３ｃ、２３ｄが形成されており、更に２つの突出部２３ａ、２３ｂには、各々、ガイド面２３ｅ、２３ｆが形成されている。又、同様に、回転用ガイド部材２４には、２つ突出部２４ａ、２４ｂと、２つの溝２４ｃ、２４ｄが形成されており、更に２つの突出部２４ａ、２４ｂには、各々、ガイド面２４ｅ、２４ｆが形成されている。
【００２５】
以上に説明した構成の下で、本実施形態においては、上記清掃部材１５の往復移動の際に、清掃部材１５が収容された保持部材１６を回転させることにより、清掃部材１５の往路と復路における放電用ワイヤ１３と清掃部材１５の当接面を変化させる点に特徴がある。
【００２６】
即ち、保持部材１６が、回転用ガイド部材２４に収容された状態から、放電用ワイヤ１３の張架方向（長手方向）に沿って図１に示した矢印２２の往路方向（即ち、前側ハウジング１１から後側ハウジング１２へと移動する方向）に移動する場合は、図６に示す様に、清掃部材１５を構成する清掃用パッド１５ａ、１５ｂが放電用ワイヤ１３を両側から挟み込む状態となっており、清掃部材１５が放電用ワイヤ１３の両側面に当接する構成となっているため、この状態下においては、放電用ワイヤ１３の外周面のうち両側面を清掃することが可能となる。尚、図１においては、図３において説明した端部１６ａ、１６ｂのうち、前側ハウジング１１側に端部１６ａを、後側ハウジング１２側に端部１６ｂを向ける構成で保持部材１６を装着しているが、当該端部１６ａ、１６ｂが逆向きとなる様に保持部材１６を装着しても良いことは言うまでもない。
【００２７】
そして、保持部材１６が後側ハウジング１２付近まで移動すると、図７に示す様に、当該保持部材１６は、後側ハウジング１２に隣接して設けられた回転用ガイド部材２３に接触する。即ち、保持部材１６の端部１６ｂ側に設けられた突起部１６ｅ（又は、１６ｆ）が、回転用ガイド部材２３に設けられた突出部２３ａ（又は、２３ｂ）に接触するとともに、突出部２３ａ（又は、２３ｂ）に形成されたガイド面２３ｅ（又は、２３ｆ）に当接した状態になる。又、この際、図示はしていないが、保持部材１６の端部１６ｂ側に設けられた他方の突起部１６ｆ（又は、１６ｅ）は、回転用ガイド部材２３に設けられた他方の突出部２３ｂ（又は、２３ａ）に接触するとともに、突出部２３ｂ（又は、２３ａ）に形成されたガイド面２３ｆ（又は、２３ｅ）に当接した状態になる。
【００２８】
ここで、保持部材１６は前述の駆動用モータ２０の駆動力により、更に往路方向２２に移動するため、保持部材１６の端部１６ｂ側に設けられた突起部１６ｅ（又は、１６ｆ）は、ガイド面２３ｅ（又は、２３ｆ）に当接した状態で、当該ガイド面２３ｅ（又は、２３ｆ）に沿って図中の矢印２５の方向に摺動する。又、図示はしていないが、この際、保持部材１６の端部１６ｂ側に設けられた他方の突起部１６ｆ（又は、１６ｅ）は、他方のガイド面２３ｆ（又は、２３ｅ）に当接した状態で、当該ガイド面２３ｆ（又は、２３ｅ）に沿って摺動する。
【００２９】
又、この際、これらのガイド面２３ｅ、２３ｆは、突起部１６ｅ、１６ｆがガイド面２３ｅ、２３ｆに沿って摺動しながら図中の矢印２６の方向に回転する様に、これらのガイド面を案内する。
【００３０】
そして、保持部材１６が駆動用モータ２０の駆動力により、更に往路方向２２に移動すると、突起部１６ｅ（又は、１６ｆ）が回転用ガイド部材２３に形成された溝２３ｃ（又は、２３ｄ）に係合するとともに、他方の突起部１６ｆ（又は、１６ｅ）が回転用ガイド部材２３に形成された他方の溝２３ｄ（又は、２３ｃ）に係合する。そうすると、図８に示す様に、保持部材１６が放電用ワイヤ１３を中心として９０度回転し、当該保持部材１６が、回転用ガイド部材２３に収容された状態になる。
【００３１】
保持部材１６が、回転用ガイド部材２３に収容されると、図２に示す様に、清掃部材１５を構成する清掃用パッド１５ａ、１５ｂが放電用ワイヤ１３を両側から挟み込む状態となり、清掃部材１５が放電用ワイヤ１３の上下面に当接する状態となる。即ち、清掃部材１５と放電用ワイヤ１３との当接面が、図６に示した両側面から図２に示す上下面へと変化する。
【００３２】
次いで、この状態下において、駆動用モータ２０の駆動方向が逆転し、図９に示す様に、清掃部材１５を保持する保持部材１６が、放電用ワイヤ１３の張架方向（長手方向）に沿って図中の矢印２７で示す復路方向（即ち、後側ハウジング１２から前側ハウジング１１へと移動する方向）に移動を開始する。そして、放電用ワイヤ１３の上下面に当接する清掃部材１５が、放電用ワイヤ１３の上下面の清掃を行いながら、図１０に示す状態まで保持部材１６が移動してくる。
【００３３】
保持部材１６が前側ハウジング１１付近まで移動すると、図１１に示す様に、当該保持部材１６は、前側ハウジング１１に隣接して設けられた回転用ガイド部材２４に接触し、保持部材１６の端部１６ａ側に設けられた突起部１６ｃ（又は、１６ｄ）が、回転用ガイド部材２４に設けられた突出部２４ａ（又は、２４ｂ）に接触するとともに、突出部２４ａ（又は、２４ｂ）に形成されたガイド面２４ｅ（又は、２４ｆ）に当接した状態になる。又、この際、図示はしていないが、保持部材１６の端部１６ａ側に設けられた他方の突起部１６ｄ（又は、１６ｃ）は、回転用ガイド部材２４に設けられた他方の突出部２４ｂ（又は、２４ａ）に接触するとともに、突出部２４ｂ（又は、２４ａ）に形成されたガイド面２４ｆ（又は、２４ｅ）に当接した状態になる。
【００３４】
又、保持部材１６は、前述の駆動用モータ２０の駆動力により、更に復路方向２７に移動するため、突起部１６ｃ（又は、１６ｄ）は、ガイド面２４ｅ（又は、２４ｆ）に当接した状態で、当該ガイド面２４ｅ（又は、２４ｆ）に沿って図中の矢印２８の方向に摺動する。又、図示はしていないが、この際、保持部材１６の端部１６ａ側に設けられた他方の突起部１６ｄ（又は、１６ｃ）は、他方のガイド面２４ｆ（又は、２４ｅ）に当接した状態で、当該ガイド面２４ｆ（又は、２４ｅ）に沿って摺動する。即ち、これらのガイド面２４ｅ、２４ｆは、突起部１６ｃ、１６ｄがガイド面２４ｅ、２４ｆに沿って摺動しながら図中の矢印２９の方向に回転する様に、これらのガイド面を案内する。
【００３５】
そして、保持部材１６が駆動用モータ２０の駆動力により、更に復路方向２７に移動すると、突起部１６ｃ（又は、１６ｄ）が溝２４ｃ（又は、２４ｄ）に係合するとともに、他方の突起部１６ｄ（又は、１６ｃ）が回転用ガイド部材２４に形成された他方の溝２４ｄ（又は、２４ｃ）に係合する。そうすると、図１２に示す様に、保持部材１６が放電用ワイヤ１３を中心として９０度回転し、当該保持部材１６が、回転用ガイド部材２４に収容された状態に戻る。これにより、清掃部材１５の往復移動が終了し、放電用ワイヤ１３の全面（即ち、上下左右面）の清掃が完了する。
【００３６】
尚、本発明は、上記実施形態に限定されるものではなく、本発明の趣旨に基づいて各部の構造、形状等を適宜変更することが可能であり、それらを本発明の範囲から除外するものではない。
【００３７】
例えば、上記実施形態においては、２個の清掃用パッドにより清掃部材を構成したが、清掃用パッドの個数はこれに制限されず、１個であっても３個以上であっても良い。例えば、上記実施形態において説明した２個の清掃用パッドのうち１個を削除し、清掃部材を２回往復移動させることにより、放電用ワイヤの全面（即ち、上下左右面）の清掃を行う構成としても良い。
【００３８】
【発明の効果】
以上説明した様に、本発明においては、清掃部材の往復移動の際に、当該清掃部材が収容された保持部材を回転用ガイド部材を用いて回転させ、清掃部材の往路と復路における放電用ワイヤと清掃部材の当接面を変化させることにより、放電用ワイヤの全面を清掃することが可能になる。従って、簡単な構成で放電用ワイヤの汚れを効果的に除去することができ、結果として、画像濃度の変化に伴う放電ムラ等の発生や、複写画質の低下を回避することができる。又、帯電器の長寿命化を図ることが可能になる。
【００３９】
又、本発明においては、保持部材を放電用ワイヤを中心として９０度回転させ、往路と復路の移動方向を変更する構成となっているため、清掃部材を１往復移動させさえすれば、清掃部材の往路と復路における放電用ワイヤと清掃部材の当接面を変化させ、放電用ワイヤの全面を清掃することが可能になる。従って、当該放電用ワイヤの汚れを容易かつ効果的に除去することができ、結果として、画像濃度の変化に伴う放電ムラ等の発生や、複写画質の低下を回避することができる。又、帯電器の長寿命化を図ることが可能になる。
【図面の簡単な説明】
【図１】は、本発明の実施形態に係る帯電器の清掃装置が装着された帯電ユニットの全体構成を示す斜視図である。
【図２】は、本発明の実施形態に係る帯電器の清掃装置の概略構成を示す断面図である。
【図３】は、本発明の実施形態に係る帯電器の清掃装置における保持部材を示す斜視図である。
【図４】は、本発明の実施形態に係る帯電器の清掃装置が装着された帯電ユニットの全体構成を示す側面図である。
【図５】は、本発明の実施形態に係る帯電器の清掃装置における回転用ガイド部材の概略を示す斜視図である。
【図６】は、本発明の実施形態に係る帯電器の清掃装置の概略構成を示す断面図である。
【図７】は、本発明の実施形態に係る帯電器の清掃装置における保持部材と回転用ガイド部材が接触した状態を示す斜視図である。
【図８】は、本発明の実施形態に係る帯電器の清掃装置における保持部材が回転用ガイド部材に収容された状態を示す斜視図である。
【図９】は、本発明の実施形態に係る帯電器の清掃装置において復路の移動が開始された状態を示す斜視図である。
【図１０】は、本発明の実施形態に係る帯電器の清掃装置において復路の移動が終了する直前の状態を示す斜視図である。
【図１１】は、本発明の実施形態に係る帯電器の清掃装置における保持部材と回転用ガイド部材が接触した状態を示す斜視図である。
【図１２】は、本発明の実施形態に係る帯電器の清掃装置における保持部材が回転用ガイド部材に収容された状態を示す斜視図である。
【図１３】は、画像形成装置における画像形成装置本体内の主要部の構成を概略的に示す正面図である。
【図１４】は、従来に係る帯電器の清掃装置を示す正面図である。
【図１５】は、従来に係る帯電器の清掃装置を示す正面図である。
【符号の説明】
１        感光体ドラム
２        帯電ユニット
３        現像ユニット
４        転写ユニット
５        分離ユニット
６        クリーニングユニット
７        露光ユニット
８        用紙供給経路
１０      シールドケース
１３      放電用ワイヤ
１５      清掃部材
１５ａ、１５ｂ    清掃用パッド
１６      保持部材
１６ａ、１６ｂ、１６ｃ、１６ｄ    突起部
１７      移動部材
２０      駆動用モータ
２１      ネジ
２３      回転用ガイド部材
２３ａ、２３ｂ    突出部
２３ｃ、２３ｄ    溝
２４    回転用ガイド部材
２４ａ、２４ｂ    突出部
２４ｃ、２４ｄ    溝
【図１】
2004271837.tif 000003
【図２】
2004271837.tif 000004
【図３】
2004271837.tif 000005
【図４】
2004271837.tif 000006
【図５】
2004271837.tif 000007
【図６】
2004271837.tif 000008
【図７】
2004271837.tif 000009
【図８】
2004271837.tif 000010
【図９】
2004271837.tif 000011
【図１０】
2004271837.tif 000012
【図１１】
2004271837.tif 000013
【図１２】
2004271837.tif 000014
【図１３】
2004271837.tif 000015
【図１４】
2004271837.tif 000016
【図１５】
2004271837.tif 000017